(57)【要約】      （修正有）【課題】重いバリウムの入ったカップを持ち易く支え保持するためのバリウムカップ保持具を提供する。【解決手段】直径約９０〜１１０ｍｍの円盤形状のシートに、直径約２０ｍｍの同心円に沿ってくり抜き挿入口とし、直径約７０ｍｍの同心円上に直径約１〜２ｍｍの小孔を等間隔で２４〜３６個程を設け、小孔と円の中心を結ぶ線上に切れ目を入れて、切片８から成る切片状保持部９を形成し、各切片に折り目をつけた円周線上にカップ保持縁が形成され、カップ保持縁の外輪域にカップを持つ手指が掛かってカップを支え保持する支え鍔１３とし、カップ底部から挿入口に差込、保持位置で止まると、支え鍔の根元一帯で切片状保持部９がカップ外壁面にピッタリ装着固定されることを特徴とするバリウムカップ保持具。【選択図】図２
2017105525.tif 000002
【特許請求の範囲】
【請求項１】
直径９０〜１１０ｍｍの円盤形状シート体において、直径約２０ｍｍの同心円に沿って中心部をくり抜いて挿入口と成し、直径約７０ｍｍの同心円上に直径約１〜２ｍｍの小孔を等間隔で２４〜３６個程設け、各小孔と円の中心を結ぶ線上に切れ目を入れて、小孔と同数に・根元を共有したまま円中心に向って相互分離された切片から成る切片状保持部を形成し、各切片の根元における小孔相互間の円弧上に折れ目を付けて切片折れ目と成し、小孔を折れ目補助小孔と成し、切片折れ目と折れ目補助小孔とが交互に連続する円周線上にカップ保持縁が形成され、このカップ保持縁から外側の外輪域を、そこにカップを持つ手指が掛かってカップを支え保持することになる支え鍔と成し、カップが底の方から挿入口に差し込まれ進むと共に、カップ外壁面に押し分けられるように下方へ折れ曲がって、支え鍔の根元下一帯に周回して展開する切片状保持部の指触りと相まって、カップを支え持つ手の保持力を一層確かなものにすることを特徴とするバリウムカップ保持具。
【発明の詳細な説明】
【技術分野】
【０００１】  本発明は病院でバリウムを飲むカップに取り付けるバリウムカップ保持具に関するものである。
【背景技術】
【０００２】  一般的に使用するバリウムカップは大きくて持ちづらく、滑りやすい表面加工が施してある。
【発明の概要】
【発明が解決しようとする課題】
【０００３】  滑りやすい表面加工の大きなカップに重いバリウムを入れると、非常に持ちにくく、非力な高齢者や女の人などは落としてしまうことがあり、病院側も悩みの種となっている。
本発明は、以上の問題点を解決するためになされたものである。
【課題を解決するための手段】
【０００４】  病院で患者にバリウムを飲ませる時に使われるバリウムカップ（以下、カップと称する）を飲む人が自然にカップに添える手の位置において、弱い指力でもしっかりと指に掛かってカップを落とさないように支え保持できる保持具であるが、保持されるカップの形体は、一般に容量４００ｃｃ、飲み口縁部の直径約８２ｍｍ・円周約２６０ｍｍ、底部の直径約５２ｍｍ・円周約１６０ｍｍ、高さ約１３０ｍｍであって、持ち添える手の位置・即ちカップの保持置位は、飲み口縁部から凡そ４０ｍｍ下と想定され、そこから計算すれば、保持位置の直径は約７０ｍｍ・円周約２２０ｍｍであり、保持具は、この条件に見合う形で形成され、カップの底部を余裕持ってくぐらせ進み、保持位置に於いてカップ外壁面にピッタリ装着固定され、カップ下方へ軽く押し下げれば簡単に外せる。
以下、この保持具の具体的な構造を説明する。
直径９０〜１１０ミリの円盤形状シート体において、直径約２０ｍｍの同心円に沿って中心部をくり抜いて挿入口と成し、直径約７０ｍｍの同心円上に直径約１〜２ｍｍの小孔を等間隔で２４〜３６個程設け、各小孔と円の中心を結ぶ線上に切れ目を入れて、小孔と同数に・根元を共有したまま円中心に向って相互分離された切片から成る切片状保持部を形成し、各切片の根元における小孔相互間の円弧上に折れ目を付けて切片折れ目と成し、小孔を折れ目補助小孔と成し、切片折れ目と折れ目補助小孔とが交互に連続する円周線上にカップ保持縁が形成され、このカップ保持縁から外側の外輪域を、そこにカップを持つ手指が掛かってカップを支え保持することになる支え鍔と成し、カップが底の方から挿入口に差し込まれ進むと共に、カップ外壁面に押し分けられるように下方へ折れ曲がって、支え鍔の根元下一帯に周回して展開する切片状保持部の指触りと相まって、カップを支え持つ手の保持力を一層確かなものにする。
以上の構成よりなるバリウムカップ保持具。
【発明の効果】
【０００５】  カップ外壁面と持ち手の間に滑り止めの効果がある切片状保持部が形成されて、滑り落とす心配がなく、又、支え鍔に掛かる重量を、支え鍔にあたる持ち手の親指から人差し指に掛けての辺りで分散して受け持つことで、安定した状態で持つことが出来、思わずカップを落としてしまって服を汚したり、辺り一面の床を汚してしまったりすることがない。
【図面の簡単な説明】
【０００６】
【図１】本発明の使用前の状態を示す正面図
【図２】本発明の斜視図
【図３】本発明の使用状態を示す斜視図
【図４】本発明を使用している時の持ち手の状態を示す斜視図
【発明を実施するための形態】
【０００７】  以下、本発明の実施の形態を説明する。
直径９０〜１１０ｍｍの円盤形状シート体において、直径約２０ｍｍの同心円に沿って中心部をくり抜いて挿入口（６）と成し、直径約７０ｍｍの同心円上に直径約１〜２ｍｍの小孔を等間隔で２４〜３６個程設け、各小孔と円の中心を結ぶ線上に切れ目（７）を入れて、小孔と同数に・根元を共有したまま円中心に向って相互分離された切片（８）から成る切片状保持部（９）を形成し、各切片（８）の根元における小孔相互間の円弧上に折れ目を付けて切片折れ目（１０）と成し、小孔を折れ目補助小孔（１１）と成し、切片折れ目（１０）と折れ目補助小孔（１１）とが交互に連続する円周線上にカップ保持縁（１２）が形成され、このカップ保持縁（１２）から外側の外輪域を、そこにカップ（１）を持つ手指が掛かってカップ（１）を支え保持することになる支え鍔（１３）と成し、カップ（１）が底部（３）の方から挿入口（６）に差し込まれ進むと共に、カップ（１）外壁面に押し分けられるように下方へ折れ曲がって、支え鍔（１３）の根元一帯に周回して展開する切片状保持部（９）の指触りと相まって、カップ（１）を支え持つ手（１４）の保持力を一層確かなものにする。
本発明は以上のような構成である。
本発明を使用するときは、保持具（５）の挿入口（６）へ空のカップ（１）を底部（３）から差し込むと、折れ目補助小孔（１１）の作用で切片（８）が無理なくカップ（１）外壁面に押し分けられるように下方に折れ曲がり、保持位置（４）まで進んで止まると、支え鍔（１３）の根元一帯で切片（８）が大きくギザギザの形を成した切片状保持部（９）が、カップ（１）外壁面を周回してピッタリ装着固定され、カップ（１）を支え持つ手（１４）の保持力を確かなものとし、又、支え鍔（１３）が手指に掛かる重量（バリウムの重量）を手（１４）全体で受け持って支え保持をするような感覚を持たせてくれるので安定感を得、カップ（１）を支え持つ手（１４）の保持力を一層確かなものにする。
【符号の説明】
【０００８】  １  カップ、    ２  飲み口縁部、    ３  底部、    ４  保持位置、
５  保持具、    ６  挿入口、    ７  切れ目、    ８  切片、
９  切片状保持部、    １０  切片折れ目、    １１  折れ目補助小孔、
１２  カップ保持縁、    １３  支え鍔、    １４  手
【図１】
2017105525.tif 000003
【図２】
2017105525.tif 000004
【図３】
2017105525.tif 000005
【図４】
2017105525.tif 000006